(57)【要約】【課題】  コンクリート構造物のような硬質部材をダイヤモンドコアビットを損傷することなく効率的に行うことができるインチング装置付コンクリート穿孔装置を提供する。【解決手段】  インチング穿孔装置１を用いてモータ３のＯＮ・ＯＦＦ制御をし、ＯＦＦからＯＮに変化する際のモータ３の大トルクを利用して効率的な穿孔を行う。【選択図】図１
2011218766.tif 000002
【特許請求の範囲】
【請求項１】
被穿孔物であるコンクリート構造物をモータ駆動によるダイヤモンドビットで水を使用しないで穿孔するコンクリート穿孔装置であって、該穿孔装置は、前記モータをＯＮ・ＯＦＦ制御するインチング装置を有するものからなり、前記インチング装置は、前記モータのＯＮ・ＯＦＦとＯＮ・ＯＦＦ時間を調整する時定数調整部及び該時定数調整部からの発信信号を次工程側に伝達するリレーとを有するリレー付間隔タイマー電子回路と、前記次工程側であるマグネット及び該マグネットにより作動されて前記モータをＯＮ・ＯＦＦ制御する電磁接触器とを有するものからなることを特徴とするインチング装置付コンクリート穿孔装置。
【請求項２】
前記インチング装置は、前記モータの近傍または遠隔位置に配置されることを特徴とする請求項１に記載のインチング装置付コンクリート穿孔装置。
【発明の詳細な説明】
【技術分野】
【０００１】  本発明は、コンクリートのような硬質構造体をダイヤモンドコアビットを用いて水なしで穿孔するコンクリート穿孔装置に係り、特にコンクリート穿孔装置のモータをインチング装置を用いてＯＮ・ＯＦＦして効率的な穿孔を行うようにしたインチング装置付コンクリート穿孔装置に関する。
【背景技術】
【０００２】  コンクリートのような硬質構造物を穿孔する手段として各種のものがあるがこの穿孔用としてはダイヤモンドコアビットを用いた穿孔装置が広く用いられている。例えば、「特許文献１」や「特許文献２」等が公知装置として挙げられる。
【先行技術文献】
【特許文献】
【０００３】
【特許文献１】特開平７−２９９８１７号（図１）
【特許文献２】特開平８−３３６８２６号（図１）
【発明の概要】
【発明が解決しようとする課題】
【０００４】  前記の「特許文献１」の「特開平７−２９９８１７号」の「穿孔装置」及び「特許文献２」の「特開平８−３３６８２６号」の「穿孔装置」は夫々特徴を有するものであるがインチング装置を使用するものではない。【０００５】  一般に水を使用しない穿孔装置の場合、回転が速いとダイヤモンドチップが摩擦熱で焼けて切れ味が大きく低下する問題点がある。また、穿孔装置の電圧を下げて回転を低速にすると前記の焼けはなくなるがトルクも下がり、切れ味が無く非効率のものとなり更に、モータが焼ける問題点がある。【０００６】  本発明は、以上の問題点を解決するために発明されたものであり、ダイヤモンドチップの焼けが発生しない程度の回転数でダイヤモンドビットを回転させてコンクリートの穿孔を行うものであるが、特徴としてはインチング制御を用いてモータのＯＮ・ＯＦＦ制御を行いＯＦＦからＯＮに立ち上がる際のモータの起動力の増大現象を利用して大トルクでの穿孔を可能にし、効率的なコンクリート穿孔を可能にしたインチング装置付コンクリート穿孔装置を提供することを目的とする。
【課題を解決するための手段】
【０００７】  本発明は、以上の目的を達成するために、請求項１の発明は、被穿孔物であるコンクリート構造物をモータ駆動によるダイヤモンドビットで水を使用しないで穿孔するコンクリート穿孔装置であって、該穿孔装置は、前記モータをＯＮ・ＯＦＦ制御するインチング装置を有するものからなり、前記インチング装置は、前記モータのＯＮ・ＯＦＦとＯＮ・ＯＦＦ時間を調整する時定数調整部及び該時定数調整部からの発信信号を次工程側に伝達するリレーとを有するリレー付間隔タイマー電子回路と、前記次工程側であるマグネット及び該マグネットにより作動されて前記モータをＯＮ・ＯＦＦ制御する電磁接触器とを有するものからなることを特徴とする。【０００８】  また、請求項２の発明は、前記インチング装置は、前記モータの近傍または遠隔位置に配置されることを特徴とする。
【発明の効果】
【０００９】  本発明の請求項１のインチング装置付コンクリート穿孔装置によれば、ダイヤモンドコアビットを駆動するモータをインチング制御し、ＯＦＦからＯＮへのモータの立上り時における高い電流に基く大トルクを利用し効率的な穿孔を可能にすると共に所定時間を定めてダイヤモンドコアビットのモータをＯＮからＯＦＦに切り換えてダイヤモンドコアビットの切削力の低下を防止し摩擦熱の向上も防止して効率的な穿孔を行うことを可能にする効果を上げることができる。【００１０】  また、本発明の請求項２のインチング装置付コンクリート穿孔装置によれば、インチング装置をモータの近傍に配置して全体構造のコンパクト化を図ると共にインチング装置をモータから離れた位置に設置して遠隔制御を可能とし、任意の場所で効率的のコンクリート穿孔を可能にした効果を上げることができる。
【図面の簡単な説明】
【００１１】
【図１】本発明のインチング穿孔装置付コンクリート穿孔装置の全体構造を示す側面図。
【図２】装置に使用されるダイヤモンドコアビットの構造とそれによるコンクリートの穿孔状態を示す軸断面図。
【図３】インチング穿孔装置の内部構造を示す配線図。
【図４】インチング穿孔装置に使用されているリレー付間欠タイマ電子回路ブロック図。
【図５】インチング穿孔装置のブロック図。
【図６】本発明のインチング装置付コンクリート穿孔装置の主要構成部の立体的構造を示す部分写真。
【発明を実施するための形態】
【００１２】  以下、本発明のインチング装置付コンクリート穿孔装置の実施の形態を図面を参照して詳述する。
【実施例１】
【００１３】  まず、図１により本発明のインチング装置付コンクリート穿孔装置１００の概要構造を説明する。この装置は大別してインチング穿孔装置１と、ダイヤモンドコアビット２と、ダイヤモンドコアビット２を回転するためのモータ３と、モータ３をガイドする柱４と、インチング穿孔装置１の電源部６と、インチング穿孔装置１とモータ３とを連結するコード７等とからなる。モータ３はインチング穿孔装置１からの指示に従って回転制御及びＯＮ・ＯＦＦ制御される。
本実施例ではインチング装置付コンクリート穿孔装置１００は被穿孔物であるコンクリート８の表面に搭載されダイヤモンドコアビット２を押し下げながら穿孔を行う形式のものであるが勿論、それに限定するものではなく、横孔の形成等も容易に行われる。
なお、インチング穿孔装置１は、図１ではモータ３等の近傍に配置されているが、コード７の長さの変更やインチング穿孔装置における無線の近傍によるモータ３の制御も可能であり、インチング穿孔装置１は遠隔の場所からのコントロールも可能である。【００１４】  図２はダイヤモンドコアビット２によるコンクリート８の札項の状態を示すものであり、タイヤモンドコアビット２はその先端にビット２ａを配置している。ダイヤモンドコアビット２をハンドル５で押し下げ穿孔を行うことによりコンクリート８の中心部の円柱８ａの最終的には棒体となりコンクリート３にはこの棒体とほぼ等しい大きさの孔を穿孔することができる。【００１５】  次に、本発明の主要構成部であるインチング穿孔装置１の構造を図３により説明する。
インチング穿孔装置１は図３に示す構成からなる。即ち、リレー付間欠タイマ電子回路９と、マグネットコイル１３と、電磁接触器１４等とからなる。なお、これ等は図示のように電源６とＡＣアダプタ１６を介して又は直接連結されている。
リレー付間欠タイマ電子回路９は時定数調整用抵抗ＯＮ１０及び時定数調整用抵抗ＯＦＦ１０ａ及びリレー１１等からなりスイッチ１２が連結されていると共に前記のＡＣアダプタ１６が連結されている。
また、電磁接触器１４にはマグネットスイッチ１５が設けられモータ３に連結される。【００１６】  次に、図４によりインチング穿孔装置１のリレー付間欠タイマ電子回路９の動作を説明する。スイッチ１２をＯＮにすると発信回路１７が作動を開始し時定数調整用抵抗ＯＮ１０と時定数調整抵抗ＯＦＦが交互に作動し、この信号が増幅回路１８で増幅されリレー１５のコントロールが行われる。即ち、リレー付間欠タイマ電子回路９からＯＮ・ＯＦＦの信号が交互に発信される。一例としてこの交互のタイミングは０．５秒から１５秒まで調整可能であが勿論これに限定するものではない。【００１７】  次に、図５によりインチング装置付コンクリート穿孔装置１００の動作を説明する。
リレー付間欠タイマ電子回路９からの信号でマグネットスイッチ１５が作動している電磁接触器１４も作動する。
リレー付間欠タイマ電子回路９からの信号は、ＯＮ時間パルス幅及びＯＦＦ時間パルス幅によって、電磁接触器１４をＯＮ・ＯＦＦの制御をする。
電磁接触器１４がＯＮ時に穿孔装置のモータ３が回転し、ダイヤモンドコアビット２でコンクリート構造物８を穿孔する。
リレー付間欠タイマ電子回路９からＯＦＦのパルス信号により電磁接触器１４がＯＦＦになりモータ３が停止し、再びリレー付間欠タイマ電子回路９からＯＮのパルス信号により、コンクリート構造物の穿孔を開始する。
モータ３は、起動時に高い起動電流で起動するため、大きなトルクで回転する。その特性を生かし、ＯＮ・ＯＦＦを繰り返すことにより大きなトルクで、回転数を落して穿孔することができる。
なお、時定数調整用抵抗ＯＮ１０及び時定数調整ＯＦＦ１０ａにより回転数を調整できる。【００１８】  以上のように、インチング穿孔装置１によるモータ３のＯＮ・ＯＦＦ制御により大きなトルクで穿孔ができ、かつＯＦＦ制御によりダイヤモンドチップ２ａの損傷も減少し、長時間のコンクリート穿孔が可能になる。【００１９】  本発明は、以上の説明の内容のものからなるが、本発明は以上の説明の内容に限定するものではなく、同一技術的範疇のものが適用されることは勿論である。
【産業上の利用可能性】
【００２０】  本発明はコンクリート構造物のような硬質構造物の効率的な穿孔ができることが特徴であるが、硬質構造物としてはコンクリート構造物に限定するものではなく、その利用範囲は広い。
【符号の説明】
【００２１】１      インチング穿孔装置
２      ダイヤモンドコアビット
２ａ    ビット
３      モータ
４      柱
５      ハンドル
６      電源部
７      コード
８      コンクリート
８ａ    円柱
９      リレー付間欠タイマ電子回路
１０    時定数調整用抵抗ＯＮ
１０ａ  時定数調整用抵抗ＯＦＦ
１１    リレー
１２    スイッチ
１３    マグネットスイッチ
１４    電磁接触器
１５    マグネットスイッチ
１６    ＡＣアダプタ
１００  インチング装置付コンクリート穿孔装置
【図１】
2011218766.tif 000003
【図２】
2011218766.tif 000004
【図３】
2011218766.tif 000005
【図４】
2011218766.tif 000006
【図５】
2011218766.tif 000007
【図６】
2011218766.tif 000008